(57)【特許請求の範囲】
【請求項１】
函状で両端が開口した多孔壁の炉体と、炉体周囲の外装体との間に形成した空気の加熱室と、その加熱室に設けた熱風循環用のファン及び電熱ヒータによる所要数の熱源と、炉内底部に配設したコンベアとを備え、
上記熱源は偶数で少なくとも６本からなり、上記加熱室の上部両側に同数をそれぞれ配置し、前記両側の熱源の相互をＹ結線、Ｖ結線、Δ結線により結線して関連させ、その３結線の回路の切換により熱容量を制御するとともに、
上記ファンは炉内温度により、起動時は上記熱源が設定温度に達するまで低速又は停止制御されるように構成されてなることを特徴とするシュリンク包装装置。
【発明の詳細な説明】
【技術分野】
【０００１】
この発明は、被包装物に被せた熱収縮性の包装フィルムを熱風によりシュリンクして包装を行う装置に関するものである。
【背景技術】
【０００２】
通常のシュリンク包装装置は、函状で両端が開口した多孔壁の炉体と、炉体周囲を囲繞する外装体との間に空気の加熱室を形成し、その加熱室の上部両側に設けた所要数の電熱ヒータにより空気を加熱して、加熱室の上部に設けたファンにより熱風を多孔壁を通して炉内と加熱室を循環させ、炉内底部に配設したコンベアに移送されてきた被包装物の包装フィルムを熱風によりシュリンクして、被包装物を密着包装する構成からなる。
【特許文献１】特開２００３−２９２０３０号公報
【発明の開示】
【発明が解決しようとする課題】
【０００３】
上記シュリンク装置では、起動時の昇温時間の短縮を熱源容量を上げて行っており、炉内温度が設定温度に達した後も熱源容量を変えることなく電熱ヒータのＯＮ・ＯＦＦにより行っている。このため熱源容量はそのままなので消費電力が増加する傾向にあった。また熱源装置の一次側にトランス等の高価な降圧装置を取り付けて省電力化を図っていた。
【０００４】
この発明は、上記従来の課題を解決するために考えられたものであって、その目的は、所要数の熱源の回路の切換により熱源容量を変更して、炉内温度をシュリンク作業に適した温度に保持し、これにより消費電力の節減を図った新たなシュリンク包装装置を提供することにある。
【課題を解決するための手段】
【０００５】
上記目的によるこの発明は、函状で両端が開口した多孔壁の炉体と、炉体周囲の外装体との間に形成した空気の加熱室と、その加熱室に設けた熱風循環用のファン及び電熱ヒータによる所要数の熱源と、炉内底部に配設したコンベアとを備え、上記熱源は偶数で少なくとも６本からなり、上記加熱室の上部両側に同数をそれぞれ配置し、前記両側の熱源の相互をＹ結線、Ｖ結線、Δ結線により結線して関連させ、その３結線の回路の切換により熱容量を制御するとともに、
上記ファンは炉内温度により、起動時は上記熱源が設定温度に達するまで低速又は停止制御されるように構成からなる、というものである。
【発明の効果】
【０００６】
上記構成では、熱源容量がＹ結線、Δ結線、Ｖ結線で異なり、Ｙ結線の熱源容量を１００％としたとき、Δ結線では７５％、Ｙ結線では５０％となり、熱源容量１００％との比較において熱源容量７５％では５〜１０％、熱源容量５０％では１２〜２０％の省エネルギーとなることから、炉内温度の状態により熱源の回路をΔ結線又はＶ結線に切換え、熱源容量１００％を７５％又は５０％に抑制して、シュリンク包装が行えるので消費電力の節減となり、仕上がり状態が良好なシュリンク包装を省電力化の下に効率良く行えるようになる。
【０００７】
また起動時のファンの作動を、上記熱源が設定温度に達するまで停止又は低速に制御して、ファンによる冷風の影響をなくして熱源の立ち上がりを早くしたので、炉内温度の昇温時間が短縮され、従来のように熱源容量を上げて昇温時間を早める必要がないことから、起動時の消費電力の節減ともなり、また省電力化のためにトランス等の高価な降圧装置を取付ける必要もなくなるのでコスト低減ともなる。
【発明を実施するための最良の形態】
【０００８】
図中１は両端が開口した函状の炉体で、上壁１１を除く側壁１２及び底壁１３の壁板には多数の流通孔１２ａ，１３ａが全体にわたり等間隔に穿設してあり、上壁１１の中央部には流出穴１１ａが穿設してある。
【０００９】
２は炉体１の外装体で、炉体１の開口端を除く周囲を囲繞するとともに開口端周囲を密閉する函状のもので、炉体周囲との間に空気の加熱室３を形成する所要幅の間隔を空けて設けてある。
【００１０】
この加熱室４の上部中央には熱風循環用のファン４が下向きに、上壁１１の流出穴１１ａに臨ませて設けてある。また加熱室４の上部両隅には電熱ヒータが３本ずつ熱風の熱源５，５として長手方向に沿って配設してある。この熱源５，５により加熱された空気は、ファン４により熱風となって上記通孔１２ａ，１３ａから炉内６に流入し、さらに上壁１１の流出穴１１ａから加熱室３の上部に還流して、再び熱源５，５により加熱され炉内６に流入する。このような熱風の循環により炉内温度が設定温度に保たれる。
【００１１】
７は炉内底部に水平に配設したコンベアで、炉体１の一方の開口端から他方の開口端に移動自在に設けられており、そのコンベア７により熱収縮性の包装フィルムを被せた被包装物品８が炉内６に移送されて来て、炉内６を通過する間に熱風による包装フィルムのシュリンク包装が行われる。９は炉体開口の遮温用暖簾である。
【００１２】
上記熱源５，５は、加熱室４の上隅部の何れか一方に配設した電熱ヒータ５ａ，５ｂ，５ｃと、他方に配設した電気ヒータ５ａ′，５ｂ′，５ｃ′の６本の電熱ヒータによるもので、それらの電熱ヒータは図３の各図に示す３結線の回路により互いに関連させて、回路の切換により熱源容量を制御できるようにしてある。
【００１３】
図３（Ａ）は電熱ヒータ６本の結線を２回路Ｙ結線とし、熱源容量１００％として使用できるようにしたものである。図３（Ｂ）は電熱ヒータ６本の結線を２本直列のΔ結線とし、熱源容量７５％として使用できるようにしたものである。図３（Ｃ）は電熱ヒータ４本使用で電熱ヒータの結線を２本直列のＶ結線とし、熱源容量５０％として使用できるようにしたものである。また消費電力としては設定温度によりある程度の差はあるが、熱源容量１００％との比較において熱源容量７５％では５〜１０％、熱源容量５０％では１２〜２０％の省エネルギーとなる。
【００１４】
次に作業工程の１例を説明すると、先ず起動スイッチをＯＮする。これによりファン４とコンベア７のモータ（図は省略）がＯＮしてファン４が低速回転し、コンベア７は循環移動する。また同時に熱源５，５のＹ結線（Ａ）の回路がＯＮし、６本の電熱ヒータが通電により発熱して加熱室３の空気を加熱する。空気はファン４により加熱室３と炉内６を循環しながら昇温してゆく。低速回転によるファン４の送風では、加熱室内の空気の移動が緩速で行われるので、昇温過程での送風による熱源５，５の冷却が抑制されるようになり、このため熱源５，５が設定温度に早く達するようになって、立ち上がり時間が短くなる。
【００１５】
炉内６の温度は温度検出器（図示せず）により常時検出されており、Ｙ結線（Ａ）の回路による発熱容量１００％で炉内温度が設定温度に達すると、その温度検出により上記ファン４のモータ出力が低速回転からそれよりも高速の常用回転に切換えられる。この切換えの後に包装フィルムを被せた被包装物品８がコンベア７により炉内６に移送されて来て、炉内６を通過する間に熱風によるシュリンク包装が行われる。
【００１６】
炉内温度が安定したところで、熱源５，５をＹ結線（Ａ）の回路から熱源容量５０％のＶ結線（Ｃ）の回路に切換えて熱源容量を二次的に制御し、その温度範囲を保持してシュリンク包装を行う。またシュリンクフイルムの熱収縮性によりことなるが、炉内におけるシュリンク作業温度を予めＴ℃以上と設定し、その炉内温度の検出値Ｔ℃−２℃を下限値として、その温度に達すると回路をＶ結線（Ｃ）の回路から熱源容量７５％のΔ結線（Ｂ）の回路に切換えて炉内温度をＴ℃以上の設定温度まで昇温する。設定温度に達したことが検出されると熱源５，５の回路が再びＶ結線（Ｃ）の回路に切り換えてシュリンク作業温度を保持するようになる。
【００１７】
したがって、熱源容量１００％での加熱は起動時のみとなり、シュリンク作業は熱源容量７５％〜５０％の範囲で設定温度を保持して効率良く行われることになるので、消費電力の節減となる。
【００１８】
なお、上記作業工程では起動時のファン４の回転を設定温度に達するまで低速回転としているが、場合よっては炉内６の温度が設定温度に達するまでファン４を停止させておき、設定温度に達してから始動して常用回転してもよい。
また室内温度が低温の場合又は被包装物品８が低温製品の場合には、熱源容量１００％のＹ結線（Ａ）の回路からか熱源容量７５％のΔ結線（Ｂ）の回路に切換えて設定温度を保持することが好ましい。
【図面の簡単な説明】
【００１９】
【図１】この発明に係わるシュリンク包装装置の縦断正面図である。
【図２】同上の縦断側面図である。
【図３】６本の電熱ヒータによる熱源の３結線による回路図である。
【符号の説明】
【００２０】
１    炉体
２    外装体
３    空気の加熱室
４    熱風循環用のファン
５    熱風の熱源
６    炉内
７    コンベア
８    被包装物品
１１ａ  流出穴
１２ａ，１３ａ  流入孔
【図１】
0005308715.tif 000002
【図２】
0005308715.tif 000003
【図３】
0005308715.tif 000004